(57)【要約】【課題】吊り上げ代を稼いで作業性の向上と装置の軽量化を図る。【解決手段】吊上器２は、走行桁３と、この走行桁３に走行自在に載置される横行装置５と、横行装置５に係止されるチェーンブロック３０とを備えて構成され、このチェーンブロック３０を、走行桁３の長手方向に対して幅方向にずらすように、横行装置５の前方側に配置するようにしている。横行装置５は、本体１０と、この本体１０上部に設けられ、走行桁３の上面３Ａに当接して転動する上ローラ１１Ａ、１１Ｂと、走行桁３の前側の側面３Ｂの下端部に当接して転動する前側支持ローラ１２Ａ、１２Ｂと、走行桁３の後側の側面３Ｃの上端部に当接して転動する後側支持ローラ１３Ａ、１３Ｂとを備えている。これら各ローラ１１Ａ、１１Ｂ、１２Ａ、１２Ｂ、１３Ａ、１３Ｂにより、重量物吊り上げ時の偏荷重を支持するようになっている。【選択図】図２
2019078098.tif 000002
【特許請求の範囲】
【請求項１】
走行桁に沿って走行自在な横行装置と、この横行装置に取り付けられ被吊り上げ材を吊り上げる吊り上げ部とを備えた吊上器において、
吊り上げ部を、前記走行桁から横方向に偏倚させて配置したことを特徴とする吊上器。
【請求項２】
吊り上げ部は、チェーンブロックを備え、横行装置の一側部に係止されることを特徴とする請求項１に記載の吊上器。
【請求項３】
チェーンブロックは、横行装置の一側部より上方に係止されることを特徴とする請求項２に記載の吊上器。
【請求項４】
横行装置は、角筒状に形成された走行桁上面を転動する上ローラと、走行桁の両側面を転動する支持ローラとを有し、これらローラにより吊り上げ側の偏荷重を支持することを特徴とする請求項１ないし３のうちいずれか１に記載の吊上器。
【請求項５】
支持ローラは、走行桁の、吊り上げ部側の一側面の下端に当接する第１の支持ローラと、走行桁の、吊り上げ部と反対側の他側面の上端に当接する第２の支持ローラとを備えて構成されることを特徴とする請求項４に記載の吊上器。
【請求項６】
横行装置は、走行桁の上方から着脱自在に装着されることを特徴とする請求項１ないし５のうちいずれか１に記載の吊上器。
【請求項７】
横行装置は、制動レバーを回動させて制動パッドを走行桁に圧接させる制動部を備えていることを特徴とする請求項１ないし６のうちいずれか１に記載の吊上器。
【請求項８】
走行桁は、両端に高さを調整可能な支持脚を備えて構成されることを特徴とする請求項１ないし７のうちいずれか１に記載の吊上器。
【発明の詳細な説明】
【技術分野】
【０００１】
本発明は、鉄道において用いられる吊上器に関するものである。
【背景技術】
【０００２】
従来、鉄道における転轍機やレールの吊り上げには、吊上器（山越器、巻き上げ機）が用いられる。この吊上器は、走行桁を、平行に設けた２本の横架部材と、この横架部材の両端を支持する脚とを備えて構成し、横架部材上に車輪を有する巻き上げ装置を走行自在に配置し、横架部材間の空隙にフックを有するロードチェーンを吊り降ろして上下動させるようにしている（例えば、特許文献１参照）。この従来の吊上器は、巻き上げ装置のロードチェーンを中央に配置し、吊り上げ時の荷重を均等に横架部材が負担するようになっている。
【０００３】
この従来の吊上器では、角筒状に形成された横架部材を２本配置しなければならないので、走行桁の重量化が避けられず、運搬時に難渋するという問題がある。このため、横架部材を１本で構成し、この横架部材に横行装置を走行自在に載置し、横行装置の中央下方に巻き上げ機を設けた吊上器が提案されている（例えば、特許文献２参照）。
【先行技術文献】
【特許文献】
【０００４】
【特許文献１】特開２００５−７６４２１号公報
【特許文献２】特開２００５−２７３３１２号公報
【発明の概要】
【発明が解決しようとする課題】
【０００５】
しかしながら、上記従来の特許文献２に記載の吊上器（山越器）では、チェーンブロックにより、転轍機や信号器具等の比較的重量の軽い重量物の吊り上げに使用する場合、作業に必要な吊り上げ代を確保するため、走行桁高さを高くしなければならない。このため、脚を長寸化させなければならず、重量化してしまうという問題がある。
【０００６】
本発明は上記課題を解決するためになされたもので、たとえ走行桁高さに制約があっても、必要な吊り上げ代を確保することができ、しかも、軽量化に資することができる吊上器を提供することを目的とする。
【課題を解決するための手段】
【０００７】
本発明に係る吊上器は、走行桁に沿って走行自在な横行装置と、この横行装置に取り付けられ被吊り上げ材を吊り上げる吊り上げ部とを備えた吊上器において、吊り上げ部を、前記走行桁から横方向に偏倚させて配置したことを特徴としている。
【０００８】
本発明に係る吊上器では、走行桁に沿って走行自在な横行装置と、この横行装置に取り付けられ被吊り上げ材を吊り上げる吊り上げ部とを備えた吊上器において、吊り上げ部を、前記走行桁から横方向に偏倚させて配置したことにより、走行桁高さに制約のある小型の吊上器であっても、吊り上げ代をより長く確保することができるので、装置の小型軽量化を図ることができ、作業効率を向上させることができるとともに、作業人員を削減してコストダウンを図ることができる。
【０００９】
また、本発明に係る吊上器では、吊り上げ部は、チェーンブロックから構成され、横行装置の一側部に係止されることが望ましい。係る構成とすることによりチェーンブロックをより高い位置に配置することができ、その分、吊り上げ代を稼ぐことができる。さらに、横行装置は、角筒状に形成された走行桁上面を転動する上ローラと、走行桁の両側面を転動し偏荷重を支持する支持ローラとを有することが好ましい。また、支持ローラは、走行桁の、吊り上げ部側の一側面の下端に当接する第１の支持ローラと、走行桁の、吊り上げ部と反対側の他側面の上端に当接する第２の支持ローラとを備えて構成されることが好ましい。係る構成とすることにより、横行装置に対して偏倚して設けられたチェーンブロックの重量による回転モーメントの力を分散して均等に負担することができる。さらに、横行装置は、走行桁の上方から着脱自在に装着されることが好ましい。また、横行装置は、制動部を備えていることが望ましい。さらに、走行桁は、両端に高さを調整可能な支持脚を備えて構成されることが好ましい。
【発明の効果】
【００１０】
本発明に係る吊上器は、走行桁に沿って走行自在な横行装置と、この横行装置に取り付けられ被吊り上げ材を吊り上げる吊り上げ部とを備えた吊上器において、吊り上げ部を、前記走行桁から横方向に偏倚させて配置したので、走行桁高さに対する吊り上げ代の割合を高くすることができ、作業性が向上するとともに、吊上器の軽量化を図ることができる。
【図面の簡単な説明】
【００１１】
【図１】（Ａ）、（Ｂ）はそれぞれ、本発明の一実施形態に係る吊上器を示す平面図および正面図である。
【図２】図１の吊上器の側面図である。
【図３】図１の吊上器の横行装置の背面図である。
【図４】図３の横行装置のＩＶ−ＩＶ線に沿った縦断面図である。
【図５】図３の横行装置の側面図である。
【図６】図５の横行装置のＶＩ−ＶＩ線に沿った縦断面図である。
【図７】図３の横行装置の平面図である。
【図８】図３の横行装置の正面図である。
【発明を実施するための形態】
【００１２】
以下、本発明に係る吊上器について、図面に示す一実施形態により説明する。本発明の一実施形態に係る吊上器（山越器）２は、図１の（Ａ）、（Ｂ）および図２に示すように、断面矩形状の中空角筒材からなる走行桁３と、横行装置５と、チェーンブロック（吊り上げ部）３０とを備えて構成される。この走行桁３の両端には、走行桁３を支持する逆Ｖ字状支持脚４、４が折り畳み自在に取り付けられる。走行桁３は、桁長さ３，５００ｍｍの寸法を有するのが好ましい。本実施例に係る吊上器２は、鉄道においては、転轍機や信号器具等の比較的重量の軽い重量物の吊り上げに供される。
【００１３】
支持脚４はそれぞれ、筒状脚部５Ａを逆Ｖ字状に形成した二股の脚となっている。筒状脚部５Ａには、伸縮脚部５Ｂが内部に収容され、脚長さを調節できるようになっている。伸縮脚部５Ｂには、図２に示すように縦方向に調節孔６が多数穿設される。調節時には、筒状脚部５Ａ下部に穿設された孔７と、伸縮脚部５Ｂの選択された調節孔６とを重ねあわせ、これら重なった孔７、６にピン８を挿通するようになっている。符号９は、走行桁３両端に設けられた取っ手である。支持脚４は、伸縮脚部５Ｂを最大に伸ばすと、走行桁高さＨを１３７７ｍｍの寸法とすることが好ましい。また、支持脚４は、伸縮脚部５Ｂを筒状脚部５Ａに収容して、最も短くした際の走行桁高さＨを８４０ｍｍとし、この状態で折り畳まれる。
【００１４】
走行桁３には、上方から横行装置５が取り外し自在に載置される。横行装置５は、図３ないし図６に示すように、本体１０と、この本体１０上部に設けられ、走行桁３の上面３Ａを転動する上ローラ１１Ａ、１１Ｂと、走行桁３の各側面３Ｂ、３Ｃを転動する前側支持ローラ（第１の支持ローラ）１２Ａ、１２Ｂおよび後側支持ローラ（第２の支持ローラ）１３Ａ、１３Ｂと、ブレーキ装置２０とを備えて構成される。本体１０は、走行桁３の各側面３Ｂ、３Ｃにそれぞれ向き合う前後側プレート１４Ａ、１４Ｂと、走行桁３の形状に対応した切り欠き１５が形成され、前後側プレート１４Ａ、１４Ｂの左右方向端面に接続される左右枠プレート１４Ｃ、１４Ｄと、これら前後側のプレート１４Ａ、１４Ｂの上端および左右枠プレート１４Ｃ、１４Ｄの内側面上端を接続する上側プレート１４Ｅとを備えている。前後側プレート１４Ａ、１４Ｂ間の寸法を２１０ｍｍとし、上側プレート１４Ｅの前後方向寸法（左右枠プレート１４Ｃ、１４Ｄの前後方向寸法）を３１４．５ｍｍとし、上側プレート１４Ｅ上面から前後側プレート１４Ａ、１４Ｂ下端までの寸法を２７８ｍｍとすることが好ましい。走行桁３は、幅８０．７ｍｍ、高さ１７２ｍｍとすることが好ましい。
【００１５】
ブレーキ装置（制動部）２０は、操作レバー２１と、この操作レバーに連結されたねじ部２２と、このねじ部先端に設けられたパッド２３を備えて構成され、操作レバー２１の回動操作によりパッド２３を走行桁３に圧接させて、制動操作を行うようになっている。符号１７は取っ手である。
【００１６】
ところで、本実施形態に係る吊上器２では、左右枠プレート１４Ｃ、１４Ｄは、図４および図５に示すように、前方側が台形状に突出して形成されるこれら左右枠プレート１４Ｃ、１４Ｄ間には、支持ロッド１６が水平に設けられ、チェーンブロック３０のフック３１が懸吊されるようになっている。すなわち、チェーンブロック３０は、走行桁３の長手方向に対して幅方向（横方向）に、言い換えれば、横行装置５の走行経路に対して横方向にずれて配置されるようになっている。この支持ロッド１６は、走行桁３の中央線Ｃからの距離と左右枠プレート１４Ｃ、１４Ｄの上端からの距離とが、チェーンブロック３０により吊り上げる重量物の重さに応じて決められるようになっている。本実施形態では、走行桁３の中央線から１７９ｍｍ、左右枠プレート１４Ｃ、１４Ｄの上端から１０７ｍｍの距離を隔てて設けることが好ましい。なお、この支持ロッド１６の位置は、これに限られるものではなく、吊上器２の走行経路（走行桁３の長手方向）に対して横方向に偏倚していればよく、左右枠プレート１４Ｃ、１４Ｄの上記位置より上方に位置させてもよい。係る構成とすることにより、チェーンブロックを吊上器の下方に配置するのに比べて、走行桁高さＨに対するチェーンブロック３０の吊り上げ代Ｍをより大きく確保することができる。
【００１７】
本実施形態に係る吊上器２では、チェーンブロック３０を走行経路に対して横に偏倚させて配置するようにしているので、重量物の吊り上げ時、吊上器２には、走行桁３を中心に回転方向のモーメントが働く。このため、前側支持ローラ１２Ａ、１２Ｂは、図４および図８に示すように、走行桁３の前側の側面３Ｂの下端部に、後側支持ローラ１３Ａ、１３Ｂは、図３および図４に示すように、走行桁３の後側の側面３Ｃの上端部に、それぞれ当接して転動するようになっている。このため、上ローラ１１Ａ、１１Ｂ、前側支持ローラ１２Ａ、１２Ｂおよび後側支持ローラ１３Ａ、１３Ｂにより偏荷重を支持するようになっている。
【００１８】
次に、本実施形態に係る吊上器２の動作について、吊上器２の作用に基づいて説明する。まず、吊上器２は、支持脚４を所望の長さでセットし、走行桁３を水平になるよう作業場所に設置する。次に、走行桁３に上方から横行装置５を載せて、支持ロッド１６にチェーンブロック３０のフック３１を懸吊して、準備が整う。横行装置５は取っ手１７を操作すると、走行桁３上を自在に走行される。このとき、チェーンブロック３０は、横行装置５の横方向前側に配置されているので、チェーンブロックを横行装置の下側に配置するのに比較して、吊り上げ代Ｍを大きくとることができる。このため、作業性が向上する。また、走行桁３を高くする必要がなくなるので、装置全体を小型軽量化できる。
【００１９】
なお、上記実施形態では、吊り上げ部を横行装置の一側部に係止させているがこれに限られるものではなく、各ローラが偏荷重を支持する限りにおいて、横行装置の一側部の上方に係止して、より吊り上げ代を稼ぐようにしてもよい。つまり、左右枠プレートを上方に延長し、上側プレートより上方に位置させてもよい。その場合、チェーンブロックの下面が走行桁の下面とほぼ同じレベルになるようにすることが好ましい。また、上記実施形態では、吊り上げ部をチェーンブロック３０により構成しているが、これに限られるものではなく、手動、電動に限らず、他の巻き上げ機や吊り上げ装置であってもよいことはいうまでもない。
【符号の説明】
【００２０】
２  吊上器
３  走行桁
５  横行装置
３０  チェーンブロック（吊り上げ部）
【図１】
2019078098.tif 000003
【図２】
2019078098.tif 000004
【図３】
2019078098.tif 000005
【図４】
2019078098.tif 000006
【図５】
2019078098.tif 000007
【図６】
2019078098.tif 000008
【図７】
2019078098.tif 000009
【図８】
2019078098.tif 000010